(57)【要約】      （修正有）【課題】子供や老人のように力の弱いものであっても容易に容器口部からキャップ本体を取り外すことが可能なヒンジキャップを提供する。【解決手段】筒状側壁６には、上方から下方に延びている弧状スリット４０が、ヒンジバンド２が連結されている部分を中心として形成され、スリット４０が形成されている弧状領域は、ヒンジバンドが連なっている部分に位置する領域Ｘと領域Ｘの周方向両側に位置する領域Ｙを含み、領域Ｘでは、内壁６ｂと外壁６ａとが下方で連結しており、領域Ｙでは、内壁６ｂと外壁６ａとが分断されており、領域Ｘの周方向両端部分では、外壁６ａに、上端から下端まで軸方向に延びている一対の引裂き用外壁スコア４１が形成されており、領域Ｙに位置する内壁６ｂには、前記一対の引裂き用外壁スコア４１から離れた位置に、下端から上方且つ軸方向に延びている主内壁スコア４３が形成されていることを特徴とする。【選択図】図１
2011001119.tif 000002
【特許請求の範囲】
【請求項１】
内容物注出用開口予定部を有する頂板部と頂板部周縁から降下し且つ下方内面部分に係合用突部が形成されている筒状側壁とを有し、且つ該筒状側壁の内側に容器口部が嵌合固定されるキャップ本体、及び該筒状側壁の上端部分にヒンジバンドを介してヒンジ連結されている上蓋からなるヒンジキャップにおいて、
前記筒状側壁には、その厚み部分を上方から下方に延びているスリットが、前記上蓋に連なるヒンジバンドが連結されている部分を中心として弧状に広がっており、該スリットによって、該筒状側壁が内壁と外壁とに区画されていると共に、
前記スリットが形成されている弧状領域は、前記ヒンジバンドが連なっている部分に位置し且つ前記内壁と前記外壁とが下方で連結している領域Ｘと、該領域Ｘの周方向両端部分から周方向に延びており且つ該スリットが前記筒状側壁の下端まで延びている領域Ｙとからなっており、
前記領域Ｘの周方向両端部分では、前記外壁に、上端から下端まで軸方向に延びている一対の引裂き用外壁スコアが形成されており、
前記領域Ｙに位置する前記内壁には、前記一対の引裂き用外壁スコアのそれぞれと一定間隔をおいて位置する部分に、下端から前記係合用突部よりも上方且つ軸方向に延びている主内壁スコアがそれぞれ形成されていることを特徴とするヒンジキャップ。
【請求項２】
前記スリットが形成されている弧状領域は、前記頂板部の中心を基準として少なくとも１５０度の周方向幅を有している請求項１に記載のヒンジキャップ。
【請求項３】
前記主内壁スコアは、前記領域Ｙの前記ヒンジバンドが位置する部分とは反対側に位置する周方向両端部に形成されている請求項２に記載のヒンジキャップ。
【請求項４】
前記スリットが形成されている弧状領域の前記周方向幅が１８０度よりも長く、且つ前記領域Ｙの前記ヒンジバンドが位置する部分とは反対側の周方向両端部及び前記ヒンジバンドの中心から９０±５度離れた位置のそれぞれに、前記主内壁スコアが形成されている請求項３に記載のヒンジキャップ。
【請求項５】
前記領域Ｙに位置する前記内壁には、前記主内壁スコアと前記引裂き用外壁スコアとの間に位置する部分もしくは該引裂き用外壁スコアと対応する位置に、屈曲促進用の内壁スコアが形成されており、該屈曲促進用の内壁スコアが形成されている部分の厚みが、これら引裂き用外壁スコア及び主内壁スコアが形成されている部分の厚みよりも厚くなっている請求項２に記載のヒンジキャップ。
【請求項６】
前記筒状側壁の前記スリットが形成されていない領域では、該筒状側壁の内面に、下端から上方に延びている切欠き部が少なくとも１箇所に形成されている請求項２に記載のヒンジキャップ。
【発明の詳細な説明】
【技術分野】
【０００１】
本発明は、容器口部に嵌合固定されるキャップ本体と、該キャップ本体にヒンジバンドによってヒンジ連結された上蓋とからなるヒンジキャップに関するものであり、より詳細には、使用後に、キャップ本体を容器口部から容易に取り外して廃棄することが可能な分別廃棄性に優れたヒンジキャップに関する。
【背景技術】
【０００２】
容器口部に嵌合固定されるキャップ本体と、該キャップ本体にヒンジバンドによってヒンジ連結された上蓋とからなるヒンジキャップは、例えば各種飲料或いは調味料などが充填された容器のキャップとして、種々の用途に使用されている。最近では、資源の再利用、ゴミ焼却性などの観点から、このようなキャップについて分別廃棄性が要求され、例えば容器内容物取り出し後の使用済みキャップについて、格別の工具を用いることなく、キャップ本体を容器口部から取り外すことができるように、種々の構造を有するヒンジキャップが提案されている。
【０００３】
例えば、特許文献１には、容器口部に嵌合固定されるキャップ本体の筒状側壁（内面には、容器口部外面との係合用突部が形成されている）の厚み部分に、上方から下方に延びているスリットを設け、このスリットによって筒状側壁が外壁と内壁とに区画された二重壁構造となっているヒンジキャップが提案されている。このヒンジキャップでは、上記スリットは、筒状側壁の下端部分の近傍にまで延びており、外壁と内壁とは下端部分で連なっていると共に、該スリットにより形成されている外壁の上端部分に上蓋に連なっているヒンジバンドが連結されている。また、ヒンジバンドの周方向両端部分の近傍においては、外壁に、上端から下端まで延びている軸方向引裂きスコアがそれぞれ形成されており、さらに、この軸方向引裂きスコアに対応して、内壁には下端から上方に向かって、少なくとも係合用突部よりも上方部分まで延びている軸方向引裂きスコアが形成されている。
【０００４】
即ち、特許文献１のヒンジキャップでは、外壁に連結されているヒンジバンドの周方向両端部分において、外壁及び内壁のそれぞれに軸方向引裂きスコアが形成されており、開放された上蓋を手で持ってヒンジバンドを下方に引き降ろすことにより、外壁の軸方向引裂きスコアが引裂かれ、この部分の外壁は、両側に位置する外壁から切り離される。このようにして引裂かれた外壁を、手で持って上方に引っ張り上げると、内壁に形成されている軸方向引裂きスコアが引裂かれ、この結果、ヒンジバンドが連結されていた部分での筒状側壁（内壁）と容器口部外面との係合が解除され、キャップ本体と容器口部外面との嵌合力が大きく低下することとなり、引裂かれた内壁を外壁と共に上方に捲り上げていくことにより、引裂かれている内壁の周囲の内壁が外壁ごと上方に引っ張り上げられ、これによってキャップ本体を容器口部から取り外すことができるというものである。
【先行技術文献】
【特許文献】
【０００５】
【特許文献１】特許第３６０３９３５号
【発明の概要】
【発明が解決しようとする課題】
【０００６】
特許文献１のような構造のヒンジキャップは、上蓋を手で持っての引き降ろしや引っ張り上げによるスコアの引裂きにより、格別の工具を使用することなく、キャップ本体を容器口部から取り外すことができるというものであるが、未だ改善すべき余地がある。
【０００７】
即ち、上蓋を手で持っての引き降ろしや引っ張り上げによって、外壁の軸方向引裂きスコア及び内壁の軸方向引裂きスコアを容易に引裂くことができるのであるが、引裂かれた内壁をさらに上方に捲り上げて周囲の内壁を外壁ごと上方に引っ張り上げてキャップ本体を容器口部から取り外すには極めて大きな力を要する。引裂かれた内壁の幅は、ヒンジバンドの周方向幅に相当し、筒状側壁の直径に比してかなり小さいばかりか、さらなる捲り上げに際しての支点（応力が集中する部分）は、容器口部の上端に近い部分となり、幅狭の部分を持って且つ上方部分からの捲り上げによって、容器口部外面の下方部分にまで延びており且つ容器口部外面と係合している周囲の内壁を外壁ごと上方に引っ張り上げなければならないからである。しかも、引裂かれた内壁を上方に捲り上げようとすると、その周囲の内壁や外壁は、引裂きによって形成されている空間を閉じるように萎むため、この締め付け力が加わるため、筒状側壁とキャップ本体との嵌合力はさほど低下しない。このため、外壁及び内壁に形成されている軸方向引裂きスコアの引裂きによってのキャップ本体の容器口部からの取り外しは、力の弱い子供や老人にはかなり困難となっている。
【０００８】
従って、本発明の目的は、格別の工具を使用することなく、しかも子供や老人のように力の弱いものであっても容易に容器口部からキャップ本体を取り外すことが可能なヒンジキャップを提供することにある。
【課題を解決するための手段】
【０００９】
本発明によれば、内容物注出用開口予定部を有する頂板部と頂板部周縁から降下し且つ下方内面部分に係合用突部が形成されている筒状側壁とを有し、且つ該筒状側壁の内側に容器口部が嵌合固定されるキャップ本体、及び該筒状側壁の上端部分にヒンジバンドを介してヒンジ連結されている上蓋からなるヒンジキャップにおいて、
前記筒状側壁には、その厚み部分を上方から下方に延びているスリットが、前記上蓋に連なるヒンジバンドが連結されている部分を中心として弧状に広がっており、該スリットによって、該筒状側壁が内壁と外壁とに区画されていると共に、
前記スリットが形成されている弧状領域は、前記ヒンジバンドが連なっている部分に位置し且つ前記内壁と前記外壁とが下方で連結している領域Ｘと、該領域Ｘの周方向両端部分から周方向に延びており且つ該スリットが前記筒状側壁の下端まで延びている領域Ｙとからなっており、
前記領域Ｘの周方向両端部分では、前記外壁に、上端から下端まで軸方向に延びている一対の引裂き用外壁スコアが形成されており、
前記領域Ｙに位置する前記内壁には、前記一対の引裂き用外壁スコアのそれぞれと一定間隔をおいて位置する部分に、下端から前記係合用突部よりも上方且つ軸方向に延びている主内壁スコアがそれぞれ形成されていることを特徴とするヒンジキャップが提供される。
【００１０】
本発明のヒンジキャップにおいては、
（１）前記スリットが形成されている弧状領域は、前記頂板部の中心を基準として少なくとも１５０度の周方向幅を有していること、
（２）前記主内壁スコアは、前記領域Ｙの前記ヒンジバンドが位置する部分とは反対側に位置する周方向両端部に形成されていること、
（３）前記スリットが形成されている弧状領域の前記周方向幅が１８０度よりも長く、且つ前記領域Ｙの前記ヒンジバンドが位置する部分とは反対側の周方向両端部及び前記ヒンジバンドの中心から９０±５度離れた位置のそれぞれに、前記主内壁スコアが形成されていること、
（４）前記領域Ｙに位置する前記内壁には、前記主内壁スコアと前記引裂き用外壁スコアとの間に位置する部分もしくは該引裂き用外壁スコアと対応する位置に、屈曲促進用の内壁スコアが形成されており、該屈曲促進用の内壁スコアが形成されている部分の厚みが、これら引裂き用外壁スコア及び主内壁スコアが形成されている部分の厚みよりも厚くなっていること、
（５）前記筒状側壁の前記スリットが形成されていない領域では、該筒状側壁の内面に、下端から上方に延びている切欠き部が少なくとも１箇所に形成されていること、
が好適である。
【発明の効果】
【００１１】
本発明のヒンジキャップにおいては、上蓋に連なるヒンジバンドが連結している筒状側壁の部分を中心として弧状に広がっているスリット（以下、弧状スリットと呼ぶ）によって筒状側壁が外壁と内壁とに区画されており、開放された上蓋を手で持ってヒンジバンドを下方に引き降ろすことにより、ヒンジバンドの周方向両端部分から軸方向下方に延びている一対の引裂き用外壁スコアが引裂かれ、この引裂きからキャップ本体の容器口部からの取り外し作業を開始するという点では、従来公知のヒンジキャップと同じである。
しかるに、本発明では、上記弧状スリットが形成されている弧状領域のうち、ヒンジバンドが連なっている部分の領域Ｘでは、内壁と外壁とが下方で連結しているが、領域Ｘの周方向両端部分から周方向に延びている領域Ｙでは、該スリットが筒状側壁の下端まで延びている。このため、引裂き用外壁スコアを引裂き、引き裂かれた外壁を上方に引っ張って捲り上げると、その周囲に位置する領域Ｙでは、外壁と内壁とが分離した状態となり、外壁による締め付け力は完全に解放され、しかも、この領域Ｙでは、一対の引裂き用外壁スコアのそれぞれと一定間隔を置くようにして、下端から係合用突部よりも上方の位置まで軸方向に延びている主内壁スコアが設けられている。即ち、引裂き用外壁スコアに対面する部分の内壁には引裂き用のスコアは形成されておらず、引裂かれた外壁に連なっている内壁は、その周囲の内壁と一体に連なったままの状態にある。従って、引裂かれた外壁を上方に捲り上げることにより、周囲の内壁は、引裂かれた外壁に連結している内壁と一体に下端から捲り上げられ、引裂き用外壁スコアから離れた位置にある主内壁スコアが速やかに引裂かれ或いは引き伸ばされた状態となる。しかも、このようにして引裂かれ或いは引き伸ばされた内壁の幅は、ヒンジバンドの幅よりもかなり大きい。この結果、引裂かれ或いは引き伸ばされた内壁をさらに上方に引っ張り上げることにより、ヒンジバンドを中心とした幅広の部分で内壁を捲り上げることができ、従って、容易にキャップ本体を容器口部から取り外すことが可能となるのである。
【００１２】
本発明においては、上記のような弧状スリットが形成されている弧状領域を、頂板部の中心を基準として少なくとも１５０度の周方向幅とすることにより、２つの主内壁スコアの幅を大きく設定することが可能となり、特に領域Ｙの周方向両端部（ヒンジバンドとは反対側の両端部、即ち、弧状領域の周方向両端部に相当）に設けることにより、筒状側壁の半周に近い部分で内壁を捲り上げることが可能となり、キャップ本体の容器口部からの取り外しを一層容易に行うことができる。
【００１３】
特に、弧状スリットが形成されている弧状領域の周方向幅を１８０度以上とし、領域Ｙの周方向両端部と、ヒンジバンドの中心から９０±５度離れた位置のそれぞれにおいて、内壁に主内壁スコアを設けることにより、引裂き用外壁スコアから離れた位置にある主内壁スコアの引裂き或いは伸長が、外壁スコアに近い側から順次行われるため、その引裂き或いは伸長作業が極めて容易であるばかりか、このようにして引裂かれ或いは引き伸ばされた内壁の周方向幅は、筒状側壁の半周以上の大きさとなるため、キャップ本体の容器口部からの取り外しを著しく容易に行うことができる。
【００１４】
さらに、本発明では、ヒンジバンドが設けられている領域Ｘの両側に位置している領域Ｙにおいて、屈曲促進用の内壁スコアを、主内壁スコアと引裂き用外壁スコアとの間に位置する部分に設けることが好適である。即ち、この屈曲促進用のスコアが形成されている部分の厚みは、引裂き用の外壁スコア及び主内壁スコアが形成されている部分の厚みよりも厚くなっており、引裂かれた外壁を引っ張り上げても屈曲促進用のスコアの引裂きは生じないが、この部分で容易に屈曲することとなる。従って、このような屈曲促進用スコアを設けることによって、引裂き用外壁スコアから離れた位置にある主内壁スコアの引裂き或いは伸長を容易に行うことができるばかりか、引裂かれ或いは引き伸ばされた内壁の捲り上げも容易に行うことができ、キャップ本体の容器口部からの取り外しはさらに容易となる。
また、上記の屈曲促進用内壁スコアの位置は、引裂き用外壁スコアと対応する位置に設定することもできる。
【００１５】
本発明においては、弧状スリットが形成されていない領域（即ち、ヒンジバンドとは反対側の領域）において、該筒状側壁の内面に、下端から上方に延びている切欠き部を少なくとも１箇所に設けることもできる。即ち、弧状スリットが形成されていない領域では、主内壁スコアが引裂かれた状態においても筒状側壁が容器口部としっかりと係合しているが、上記のような切欠き部を設けることにより、この領域での係合力を弱めることができ、キャップ本体の容器口部からの取り外しには有利となる。
【００１６】
このように、本発明によれば、大きな力を必要とせず、力の弱い子供や老人でも、極めて容易にキャップ本体の容器口部からの取り外しを行うことができ、分別廃棄性が著しく高められている。
【図面の簡単な説明】
【００１７】
【図１】本発明のヒンジキャップを、上蓋を開いた状態で示す平面図である。
【図２】図１のヒンジキャップの底面図である。
【図３】図１のヒンジキャップの側断面図である。
【図４】図１のヒンジキャップの上蓋を閉じた状態での背面図である。
【図５】図２のヒンジキャップのＡ−Ａ断面（ａ）及びＢ−Ｂ断面（ｂ）を示す図である。
【図６】図１のヒンジキャップのキャップ本体を容器口部から取り外す工程を説明するための図である。
【図７】本発明の他の態様のヒンジキャップを、上蓋を開いた状態で示す底面図である。
【図８】図７のヒンジキャップのＣ−Ｃ断面（ａ）、Ｄ−Ｄ断面（ｂ）、Ｅ−Ｅ断面（ｃ）及びＦ−Ｆ断面（ｄ）を示す図である。
【図９】本発明のさらに他の態様のヒンジキャップを、上蓋を開いた状態で示す平面図である。
【図１０】図９のヒンジキャップの底面図である。
【発明を実施するための形態】
【００１８】
本発明のヒンジキャップの一例を示す図１乃至図５を参照して、このキャップは、キャップ本体１と、ヒンジバンド２によってキャップ本体１にヒンジ連結されている上蓋３とから成っている。キャップ本体１は、大まかに言って、頂板部５と、頂板部５の周縁部から垂下している筒状側壁６とから構成されており、この筒状側壁６の上端部分に、上蓋３が連なっているヒンジバンド２が連結されている。また、筒状側壁６の下端部内面には、周方向に小間隔をおいて、容器口部との係合用突部７が複数形成されている。
【００１９】
特に図３から理解されるように、頂板部５の内面には、筒状側壁６とは間隔を置いて下方に延びているインナーリング９が形成されている。即ち、このインナーリング９と筒状側壁６との間の空間に容器口部（図示せず）が嵌め込まれ、且つ上記係合用突部７との係合によって、キャップ本体１が容器口部にがっちりと固定される。
【００２０】
また、頂板部５には、注出用開口を形成するためのスコア１０が無端状に形成されており、頂板部５の上面側には、スコア破断用のプルリング１１が支柱１３を介して設けられている。即ち、このプルリング１１を引っ張ることにより、無端状スコア１０が破断し、内容物を注ぎ出すための開口が頂板部５に形成されるようになっている。（従って、この無端状スコア１０で囲まれている領域が内容物注出用開口予定部となる。）
【００２１】
尚、上記の支柱１３に対応して、頂板部５の下面には、無端状スコア１０で囲まれ且つ該スコア１０の近傍に位置する部分に突片１４が設けられている。即ち、プルリング１１を引っ張っての無端状スコア１０の引裂きによって内容物注出用開口を一気に形成した場合、特に容器内容液が減圧或いは加圧状態に保持されていると、容器内圧が一気に変動するため、容器内容液が注出用開口からこぼれ出してしまうなどの不都合を生じることがある。しかるに、上記のような突片１４が設けられていると、無端状スコア１０の引裂き開始時には、この突片１４が無端状スコア１０の引裂きにより形成されていく開口を塞ぐように位置するため、外気が容器内に一気に流入することが抑制され、上記のような不都合を有効に防止することができる。
【００２２】
さらに、頂板部５の上面側には、スコア１０を取り囲むようにして、注出液案内用の筒状突起１５が形成されており、注出用開口を介して注ぎ出された内容液は、この筒状突起１５によって案内される。この筒状突起１５の上端は、ラッパ状に広がって液の排出をスムーズに行い得るようになっており、また、図３から理解されるように、ヒンジバンド２が設けられている側において、この筒状突起１５の背が低く形成され、上蓋３を閉じるときに上蓋３の旋回を妨害しないように構成されている。さらに、筒状突起１５の外側には、上蓋３を保持するための周状突起１７が形成されている。
【００２３】
上蓋３をヒンジ連結しているヒンジバンド２は、キャップ本体１の筒状側壁６の上端部分に連結されており、図１及び図３から理解されるように、このヒンジバンド２は、中央の幅広バンド２ａと、その両側の小幅のバンド２ｂ、２ｂから形成され、中央の幅広バンド２ａは、筒状側壁６の上端に連結され、両側の小幅のバンド２ｂ、２ｂは、それぞれ、幅広バンド２ａよりも若干下側で筒状側壁６に連結されている。尚、図２では、これらのバンド２ａ，２ｂは全て２で示されている。
【００２４】
このようなヒンジバンド２によって上蓋３をキャップ本体１の筒状側壁６の上端部分に連結することにより、閉じられた上蓋３を開放したとき、上蓋３の開放状態が自動的に維持されることとなる。即ち、幅広バンド２ａの旋回軌跡と小幅のバンド２ｂの旋回軌跡とが交差するようになるからである。
【００２５】
上記のようなヒンジバンド２によってキャップ本体１（筒状側壁６）にヒンジ連結されている上蓋３は、天板２１と、天板２１の周縁から延びているスカート２３とから形成されている。
【００２６】
天板２１の内面には、シール用の周状突起２５が形成されている。即ち、上蓋３を旋回して閉じたとき、シール用の周状突起２５が注出液案内用の筒状突起１５の内面に密着し、この密着により、無端状スコア１０を破断しての注出用開口形成後のシール性が確保される。
【００２７】
また、天板２１の内面には、ヒンジバンド２が設けられている側において、上記のシール用周状突起２５の外側位置に、緩衝用の弧状突起２７が設けられている。この弧状突起２７は、シール用周状突起２５よりも若干長く形成されており、上蓋２が閉じられている状態で、上部から外力が加わったとき、この弧状突起２７がキャップ本体１の頂板部５の上面に当接するため、上部からの外力が緩和され、例えばシール用周状突起２５による無端状スコア１０の破断などを有効に防止することができる。
【００２８】
また、上蓋３のスカート２３の内面下方部分には、凹部２９が形成されており、前述したキャップ本体１の周状突起１７の上端部が、この凹部２９と係合することにより、閉じられた上蓋３が安定に保持されるようになっている。
【００２９】
上蓋３のスカート２３の外面には、前述したヒンジバンド２とは反対側に位置する部分に、開封用鍔３０が設けられている。この開封用鍔３０の下面には、その外周縁に沿って滑り止め用の細い突起３１が形成されており、この開封用鍔３０を指で引っ掛けて上蓋３を上方に持ち上げることにより上蓋３の開封を容易に行うことができる。
【００３０】
さらに、図１に示されているように、スカート２３の下端面には、複数の偏平状の小突起３３が周方向に間隔をおいて設けられている。例えば、上蓋３を開放して容器内容液の注ぎ出しを行ったとき、注ぎ出された内容液が頂板部５の上面に垂れ落ちて付着していると、上蓋３を閉じたとき、付着している内容液が上蓋３のスカート２３によって弾き飛ばされて周囲を汚してしまうことがある。しかるに、上記のような小突起３３を設けることにより、上蓋３を閉じた時に、スカート３の下端面とキャップ本体１の頂板部５の上面の周縁部との密着が抑制され、両者の間に適度な空間が形成されるため、頂板部５の上面に付着していた内容液が弾き飛ばされるという不都合を有効に回避することが可能となる。
【００３１】
上記のようなヒンジキャップにおいて、本発明では、キャップ本体１の筒状側壁６の厚み部分に上端から下方に延びている弧状スリット４０が形成されており、この弧状スリット４０によって筒状側壁６は、外壁６ａと内壁６ｂとに区画されている。
【００３２】
上記の弧状スリット４０は、特に図１及び図２から理解されるように、ヒンジバンド２が連結されている部分を中心として弧状に広がっており、この例では、頂板部５の中心Ｏを基準として、約１８０度の周方向幅を有している。この弧状スリット４０が設けられている領域は、図２に示されているように、ヒンジバンド２が連なっている部分に位置する領域Ｘと、領域Ｘの周方向両端部分から周方向に延びている領域Ｙとからなっており、図２では、この弧状スリット４０が形成されていない領域がＺで示されている。
【００３３】
上記のような弧状スリット４０が設けられている領域中、ヒンジバンド２が連結されている部分に位置する領域Ｘでは、弧状スリット４０は、筒状側壁６の上端から下端の近傍（係合用突部７の最肉厚部分に対応する位置程度）まで延びており、従って、外壁６ａと内壁６ｂとは、下端部分で連なっている（図３参照）。この外壁６ａと内壁６ｂとの連結部は６’で示されている。一方、領域Ｘの周方向両側に位置している領域Ｙでは、弧状スリット４０は筒状側壁６の上端から下端まで延びており、従って、この領域Ｙでは、筒状側壁６は、弧状スリット４０によって完全に外壁６ａと内壁６ｂとに分断されている。
【００３４】
また、図１乃至図４と共に図５を併せて参照して、領域Ｘの周方向両端部分、即ち、ヒンジバンド２の周方向両端部分の近傍であり、領域Ｘと領域Ｙとの境界部分には、外壁６ａに、上端から下端まで軸方向に延びている一対の引裂き用外壁スコア４１，４１が形成されており（図４参照）、さらに、領域Ｙに位置する内壁６ｂには、引裂き用外壁スコア４１，４１と一定間隔をおいて位置する部分（図の例では、各領域Ｙの周方向端部）に、主内壁スコア４３，４３がそれぞれ形成されている。この主内壁スコア４３は、内壁６ｂの下端から係合用突部７よりも上方に且つ軸方向に延びている。尚、引裂き用外壁スコア４１の上端（外壁６ａの上端）には、通常、切欠き（ノッチ）が形成されており、このスコア４１の引裂きを容易に行い得るようになっている。
【００３５】
即ち、図５から理解されるように、引裂き用外壁スコア４１が設けられている部分の外壁６ａの厚みｔ及び主内壁スコア４３が設けられている部分での内壁６ｂの厚みｔ’は、容易に引裂けるように薄肉となっており、これらのスコア４１，４３を引裂くことにより、このヒンジキャップのキャップ本体１を容器口部から容易に取り外すことが可能となっている。
【００３６】
この取り外し作業を説明するための図６を参照して、先ず、上蓋２を開放し、開放された上蓋３を手で持ってヒンジバンド２を下方に引き降ろす。これにより、ヒンジバンド２の周方向両端部分から軸方向下方に延びている一対の引裂き用外壁スコア４１，４１が下端まで引裂かれることとなる。
【００３７】
このようにして引裂き用外壁スコア４１を引裂くと、領域Ｘの部分での外壁６ａは、その周囲、即ち領域Ｙの外壁６ａと分断されるが、この領域Ｘでの内壁６ｂは、その周囲（領域Ｙ）の内壁６ｂとは一体的に連なった状態にあり、しかも領域Ｙではスリット４０が筒状側壁６の下端まで延びているため、領域Ｘの外壁６ａから分散されている領域Ｙの外壁６ａはフリーの状態となり、内側の内壁６ｂを全く拘束しない状態となる。従って、引裂き用外壁スコア４１を引裂いた後、この引裂かれた外壁６ａを上方に引っ張り上げると、この領域Ｘ及び領域Ｙの内壁６ｂは、下側から一体的に捲り上げられ、同時に、引裂き用外壁スコア４１，４１とは離れた位置にあり且つ係合用突部７よりも上方に延びている主内壁スコア４３，４３も引裂かれ、このようにして、弧状スリット４０が設けられている領域Ｘ及びＹでは、内壁６ｂが全体的に捲り上げられ、筒状側壁６の約半周部分が容器口部６０から離脱し、従って、さらに上蓋３を持って上方に引っ張り上げることにより、キャップ本体１は容器口部から容易に取り外されるのである。
【００３８】
このように、本発明においては、上記の引裂き用外壁スコア４１と対応する位置に主内壁スコア４３は形成されておらず、この主内壁スコア４３は、引裂き用外壁スコア４１から離れた位置に形成されているため、従って、引裂き用外壁スコア４１を引裂き、引裂かれた外壁６ａを上方に捲り上げることにより、周囲の内壁６ｂは、引き裂かれた外壁６ａに連結している内壁６ｂと一体に下端から容易に捲り上げられ、引裂き用外壁スコア４１から離れた位置にある主内壁スコア４３も速やかに引裂かれ。しかも、このようにして引裂かれた内壁６ｂの幅は、ヒンジバンド２の幅よりもかなり大きく、このため、この内壁６ｂをさらに上方に引っ張り上げることにより、ヒンジバンド２を中心とした幅広の部分で内壁６ｂを捲り上げることができ、大きな力を要せず、例えば子供や老人のように非力な者でも極めて容易にキャップ本体１を容器口部６０から取り外すことが可能となるのである。
【００３９】
本発明においては、種々の設計変更が可能であり、例えば、引裂き用外壁スコア４１を引裂いた後の内壁６ａの捲り上げや引裂き用スコア４３の引裂き或いは最後のキャップ本体１の取り外しを一層容易に行い得る様にスコアや切欠きを設けることができる。
【００４０】
図７、８には、このようなスコアや切欠きが設けられたヒンジキャップが示されている。即ち、このヒンジキャップは、基本的な構造は図１乃至図５に示されているヒンジキャップと全く同じであり、特にその平面図（上面図）は図１と同一となっているが、このキャップでは、領域Ｙに、屈曲促進用の内壁スコア４５が形成され、さらに、弧状スリット４０が設けられていない領域Ｚにおいて、筒状側壁６の内面に切欠き４７が設けられている。
【００４１】
即ち、図７から理解されるように、この例では、引裂き用外壁スコア４１と対面する位置に、屈曲促進用の内壁スコア４５が設けられている。図８に示されているように、この屈曲促進用のスコア４５が形成されている部分の内壁６ｂ厚みｔ”は、引裂き用の外壁スコア４１が形成されている部分の外壁６ａの厚みｔ及び主内壁スコア４３が形成されている部分の内壁６ｂの厚みｔ’よりも厚くなっており、引裂かれた外壁６ａを内壁６ｂと共に引っ張り上げたときに引裂かれないが、容易に屈曲し得るように形成されている。従って、前述した図６に示されているように、引裂かれた外側壁６ａを持って、内壁６ｂと一体的に引っ張り上げたとき、屈曲促進用のスコア４５が設けられている部分で内壁６ｂが容易に屈曲し、これにより、引裂き用外壁スコア４１から離れた位置にある主内壁スコア４３の引裂きを容易に行うことができると同時に、引裂かれた内壁６ｂの捲り上げも容易に行うことができ、キャップ本体１の容器口部６０からの取り外しはさらに容易となる。
【００４２】
尚、図７の例では、引裂き用外壁スコア４１と対面する位置に屈曲促進用のスコア４５が形成されているが、主内壁スコア４３と引裂き用外壁スコア４１との間に位置する部分１個或いは２個以上設けることもできる。
【００４３】
また、上記のヒンジキャップでは、弧状スリット４０が形成されていない領域Ｚにおいて、筒状側壁６の内面に、下端から上方に延びている切欠き部４７が適当な間隔で複数形成されている。即ち、前述した図６から理解されるように、弧状スリット４０が形成されていない領域Ｚでは、主内壁スコア４１が引裂かれた状態においても筒状側壁６が容器口部６０としっかりと係合しているが、上記のような切欠き部４７を設けることにより、この領域Ｚでの係合力を弱めることができ、キャップ本体１の容器口部６０からの取り外しを一層容易に行うことが可能となる。
【００４４】
上述した本発明においては、弧状スリット４０が設けられている弧状領域の周方向幅は、１５０度以上とすることが好適である（前述した例では約１８０度に設定されている）。即ち、この幅があまり狭いと、主内壁スコア４３が引裂き用外壁スコア４１に近い位置に形成されることとなり、この主内壁スコア４３の引裂きによって形成される内壁６ｂの幅が狭くなってしまうため、筒状側壁６の全体を容器口部から取り外すことが困難となるおそれが生じるからである。
【００４５】
また、本発明では、弧状スリット４０が設けられている弧状領域の周方向幅を１８０度よりも大きく設定すること、即ち、筒状側壁６の半周以上の領域に弧状スリット４０を設けることが最適である。図９及び図１０には、本発明のヒンジキャップの最適例が示されている。
【００４６】
即ち、図９及び図１０の例では、弧状スリット４０が設けられている弧状領域（領域Ｘ＋領域Ｙ）の周方向幅が約２７０度に設定されており、引裂き用外壁スコア４１に対面する位置には、前述した屈曲促進用のスコア４５が形成されていると共に、この弧状領域の周方向両端部（領域Ｙの周方向両端部）と、ヒンジバンド２の中心から９０度（９０度±５度程度の範囲内でよい）離れた位置のそれぞれに、内壁６ｂに主内壁スコア４３が形成されている。即ち、この例では、引裂き用外壁スコア４１から離れた位置にある主内壁スコア４３の引裂きが、引裂き用外壁スコア４１に近い側から順次行われ、しかも、屈曲促進用スコア４５が引裂き用外壁スコア４１と対面する位置に形成されているため、これらの主内壁スコア４３の引裂き作業が極めて容易であるばかりか、筒状側壁６の半分以上の部分で内壁６ｂが屈曲することとなり、その捲り上げや最後の主内壁スコア４３の引裂きを至って容易に行うことができる。
【００４７】
また、上記のヒンジキャップにおいても、弧状スリット４０が形成されていない領域Ｚにおいて、筒状側壁６の内面に切欠き部４７が設けられているため、キャップ本体１の容器口部６０からの取り外しは極めて容易である。
【００４８】
尚、上述したヒンジキャップの内壁６に形成されている主内壁スコア４３は、内壁６ｂを上方に捲り上げることにより容易に引裂かれるものとなっているが、引裂かれず、大きく引き伸ばされるようなものであってもよい。要するに内壁６ｂの上方への捲り上げが容易に行い得る様な構造となっていればよいのである。
【００４９】
さらに、上述した本発明において、弧状スリット４０が設けられている弧状領域中の領域Ｙでは、弧状スリット４０が筒状側壁６を貫通して形成されており、この領域Ｙでは筒状側壁６が外壁６ａと内壁６ｂとに完全に分断されている例が示されているが、引裂き用外壁スコア４１を引裂き、引裂かれた外壁６ａを上方に引っ張り上げたときに、速やかに破断するのであれば、例えば薄皮１枚程度の厚みで外壁６ａと内壁６ｂとが連なっていてもよい。
【００５０】
上述した構造の本発明のヒンジキャップは、各種プラスチックを用いての射出成形等により製造することができ、例えばキャップ本体１と上蓋３とを、上蓋３が開封された状態に一体成形し、次いで、弧状スリット４０をカッティング加工により形成することにより製造することができる。
【符号の説明】
【００５１】
１：キャップ本体
２：ヒンジバンド
３：上蓋
６：筒状側壁
６ａ：外壁
６ｂ：内壁
７：係合用突部
４０：弧状スリット
４１：引裂き用外壁スコア
４３：主内壁スコア
４５：屈曲促進用スコア
４７：切欠き部
４７：薄肉壁
Ｘ及びＹ：弧状スリット４０が形成されている領域
Ｚ：弧状スリット４０が設けられていない領域
【図１】
2011001119.tif 000003
【図２】
2011001119.tif 000004
【図３】
2011001119.tif 000005
【図４】
2011001119.tif 000006
【図５】
2011001119.tif 000007
【図６】
2011001119.tif 000008
【図７】
2011001119.tif 000009
【図８】
2011001119.tif 000010
【図９】
2011001119.tif 000011
【図１０】
2011001119.tif 000012